(57)【要約】      （修正有）【課題】クラウドシステムにおいて、課金対象であるコンピュータリソースの設定内容の確認を容易にかつ短時間で行える技術を提供する。【解決手段】サーバ特定情報を含むサーバへの接続情報とサーバにおける課金情報を記憶する記憶部からサーバ特定情報を取得し、取得したサーバ特定情報に基づき記憶部からサーバへの接続情報を取得し、取得したサーバへの接続情報とサーバにおける課金対象であるサーバリソースの情報を取得するための指示情報を用いて、サーバからサーバリソース情報を取得して記憶部に格納し、端末からの要求に応じて、記憶部から課金情報及びサーバリソース情報を取得し、取得した課金情報及びサーバリソース情報を端末へ送信する。【選択図】図１
2016148966.tif 000002
【特許請求の範囲】
【請求項１】
端末と接続される管理サーバにより、
サーバ特定情報を含むサーバへの接続情報と前記サーバにおける課金情報を記憶する記憶部から前記サーバ特定情報を取得し、
取得した前記サーバ特定情報に基づき前記記憶部から該当サーバへの接続情報を取得し、
取得した前記サーバへの接続情報と前記サーバにおける課金対象であるサーバリソースの情報を取得するための指示情報を用いて、前記サーバから前記サーバリソース情報を取得して前記記憶部に格納し、
前記端末からの要求に応じて、前記記憶部から該当課金情報及びサーバリソース情報を取得し、
取得した前記課金情報及び前記サーバリソース情報を前記端末へ送信する、
ことを特徴とする課金情報管理方法。
【請求項２】
前記管理サーバにより、
前記端末からサーバへの接続情報と前記サーバにおける課金情報を受信し、
受信した前記サーバへの接続情報と前記サーバにおける課金情報を前記記憶部に格納する、
ことを特徴とする請求項１に記載の課金情報管理方法。
【請求項３】
前記端末から、課金年月情報を含む課金情報検索要求を受信し、
受信した前記課金年月情報に基づき前記記憶部から該当課金情報を取得し、
取得した前記課金情報を前記端末へ送信し、
前記端末から前記サーバ特定情報、前記課金年月情報及び前記サーバリソースの種別を示す情報を含む課金詳細情報の要求を受信し、
受信した前記サーバ特定情報、前記課金年月情報及び前記サーバリソースの種別を示す情報に基づき前記記憶部から該当課金情報及びサーバリソース情報を取得する、
ことを特徴とする請求項２に記載の課金情報管理方法。
【請求項４】
前記記憶部は、さらに前記サーバで動作するＯＳの種別を示す情報及び前記課金対象ごとの前記指示情報を記憶し、
前記管理サーバにより、
前記記憶部から前記サーバ特定情報を取得し、
取得した前記サーバ特定情報に基づき前記記憶部から該当サーバへの接続情報を取得し、
取得した前記サーバへの接続情報に含まれる前記ＯＳの種別を示す情報に基づき前記記憶部から該当指示情報を取得し、
取得した前記サーバへの接続情報と前記指示情報を用いて、前記サーバから前記サーバリソース情報を取得して前記記憶部に格納する、
ことを特徴とする請求項３に記載の課金情報管理方法。
【請求項５】
前記課金対象である前記サーバリソースは、ＤＩＳＫ、ＣＰＵ、メモリの何れかを含む、
ことを特徴とする請求項１乃至請求項４のいずれか１項に記載の課金情報管理方法。
【請求項６】
サーバ特定情報を含むサーバへの接続情報と前記サーバにおける課金情報を記憶する記憶部と、
前記記憶部から前記サーバ特定情報を取得し、
前記サーバ特定情報に基づき前記記憶部から該当サーバへの接続情報を取得し、
前記サーバへの接続情報と前記サーバにおける課金対象であるサーバリソース情報を取得するための指示情報を用いて、前記サーバから前記サーバリソース情報を取得して前記記憶部に格納し、
端末からの要求に応じて、前記記憶部から該当課金情報及びサーバリソース情報を取得し、
前記課金情報及び前記サーバリソース情報を前記端末へ送信する演算処理部と、
を有する、
ことを特徴とする管理サーバ。
【発明の詳細な説明】
【技術分野】
【０００１】
本発明は、クラウドシステムにおいて、コンピュータリソースの課金情報を管理する技術に関する。
【背景技術】
【０００２】
近年、ＩＴに関するコスト削減の観点から、ＣＰＵ、メモリ、ＤＩＳＫ等のコンピュータリソースを、インターネットなどのネットワークを通じてサービスの形で必要に応じて利用するクラウドシステムが注目されている。
【０００３】
このようなクラウドシステムにおける課金方式として、ＣＰＵ、メモリ、ＤＩＳＫといったコンピュータリソースの利用実績に応じて課金する従量課金方式が知られている。
【先行技術文献】
【特許文献】
【０００４】
【特許文献１】特開２０１０-１５２７３０号公報
【発明の概要】
【発明が解決しようとする課題】
【０００５】
従来、企業のＩＴ統括部門においては、コンピュータリソースの利用実績に応じて課金された費用をクラウド事業者へ支払っているが、ＣＰＵの割当数やＤＩＳＫの割当容量やメモリの割当容量など課金対象であるコンピュータリソースの課金単価を決める基準となる単位量が申請通りに正しくコンピュータ上に設定されていることを確認できず、課金額の妥当性を検証することができなかった。
【０００６】
システム管理者が１台ずつコンピュータにログインし、コマンドを実行することで設定内容の確認を行うことはできるが、この方法では、設定内容の確認及び課金額の妥当性の検証に時間を要する。また、コンピュータ上で動作しているＯＳ（Ｏｐｅｒａｔｉｎｇ Ｓｙｓｔｅｍ）の種類はコンピュータによって異なるため、実行コマンドもＯＳの種類によって異なる。したがって、上記方法で設定内容を確認することは容易ではない。
【０００７】
そこで本発明は、クラウドシステムにおいて、課金対象であるコンピュータリソースの設定内容の確認を容易にかつ短時間で行える技術を提供することを目的とする。
【課題を解決するための手段】
【０００８】
本発明の代表的な一例は次の通りである。すなわち本発明は、端末と接続される管理サーバにより、サーバ特定情報を含むサーバへの接続情報と前記サーバにおける課金情報を記憶する記憶部から前記サーバ特定情報を取得し、取得した前記サーバ特定情報に基づき前記記憶部から該当サーバへの接続情報を取得し、取得した前記サーバへの接続情報と前記サーバにおける課金対象であるサーバリソースの情報を取得するための指示情報を用いて、前記サーバから前記サーバリソース情報を取得して前記記憶部に格納し、前記端末からの要求に応じて、前記記憶部から該当課金情報及びサーバリソース情報を取得し、取得した前記課金情報及び前記サーバリソース情報を前記端末へ送信することを特徴とする。
【発明の効果】
【０００９】
本発明によれば、クラウドシステムにおいて、課金対象であるコンピュータリソースの設定内容の確認を容易にかつ短時間で行うことができる。
【図面の簡単な説明】
【００１０】
【図１】クラウドシステム１００の全体構成例を示す図である。
【図２】仮想マシン管理サーバ１０１のハードウェア構成例を示す図である。
【図３】端末１０３のハードウェア構成例を示す図である。
【図４】サーバ接続情報マスタ２０８のデータ構成例を示す図である。
【図５】コマンド管理マスタ２０９のデータ構成例を示す図である。
【図６】課金情報テーブル２１０のデータ構成例を示す図である。
【図７】サーバリソース情報テーブル２１１のデータ構成例を示す図である。
【図８】仮想マシン管理サーバ１０１が、端末１０３からの要求に応じて課金情報及びサーバ接続情報を登録する処理を示すフロー図である。
【図９】定期的に、仮想マシン管理サーバ１０１がサーバ１０４へアクセスしてコマンドを実行し、課金対象であるサーバリソースの情報を取得し記憶する処理を示すフロー図である。
【図１０】仮想マシン管理サーバ１０１が、端末１０３からの要求に応じて課金情報とサーバリソースの情報を含む課金情報詳細画面を端末１０３へ応答する処理を示すフロー図である。
【図１１】課金情報・サーバ接続情報登録画面１１００の例を示す図である。
【図１２】課金情報検索画面１２００の例を示す図である。
【図１３】課金情報検索結果画面１３００の例を示す図である。
【図１４】課金情報詳細画面１４００の例を示す図である。
【発明を実施するための形態】
【００１１】
以下に本発明の実施形態について図面を用いて詳細に説明する。
【００１２】
図１は、クラウドシステム１００の全体構成例を示す図である。クラウドシステム１００は、仮想マシン管理サーバ１０１と、仮想マシン１０５が構築されている複数のサーバと、複数の端末１０３とがネットワーク１０２に接続されて構成されるコンピュータシステムである。
【００１３】
仮想マシン管理サーバ１０１は、データセンターなど屋内に設置され、サーバ１０４を特定するための情報を示すホスト名、サーバ１０４で動作するＯＳの種別を示す情報、サーバ１０４に接続するためのサーバ接続情報、課金対象であるサーバリソースの情報（設定内容）、サーバリソースの情報を取得するための、ＯＳ種別ごとの指示情報（コマンド情報）、サーバ１０４における課金情報を管理する。サーバリソースの情報は、課金対象（リソース）の課金単価を決める基準となる単位量の情報であり、例えば、ＤＩＳＫの割当容量、ＣＰＵの割当数、メモリの割当容量などである。
【００１４】
端末１０３は、例えばデスクトップやノートタイプの端末であり、課金情報や課金対象であるサーバリソースの情報（課金詳細情報）を仮想マシン管理サーバ１０１へ要求したり、その結果を仮想マシン管理サーバ１０１から受信して表示する端末である。
【００１５】
図２は、仮想マシン管理サーバ１０１のハードウェア構成例を示す図である。仮想マシン管理サーバ１０１は、一般的なコンピュータにより実現でき、ハードディスクドライブなどの不揮発性記憶装置で構成される記憶部２０２と、ＲＡＭなど揮発性記憶装置で構成されるメモリ２０３と、記憶部２０２に記憶されているコンピュータプログラム２０５をメモリ２０３に読み出すなどして実行し仮想マシン管理サーバ１０１自体の統括制御を行うとともに各種判定、演算及び制御処理を行うＣＰＵ等で構成される演算処理部２０１と、ネットワーク１０２と接続し他コンピュータとの通信処理を行う通信制御部２０４を備える。各部は、ＢＵＳ(バス)等の通信路により接続されている。
【００１６】
記憶部２０２には、コンピュータプログラム２０５として実現する課金情報管理部２０６及びサーバリソース情報管理部２０７と、サーバ接続情報マスタ２０８と、コマンド管理マスタ２０９と、課金情報テーブル２１０と、サーバリソース情報テーブル２１１が格納されている。課金情報管理部２０６は、端末１０３から課金情報とサーバ接続情報を受信し、それぞれ課金情報テーブル２１０とサーバ接続情報マスタ２０８に格納する。また、課金情報管理部２０６は、端末１０３から課金年月情報を受信し、受信した課金年月情報に基づいて課金情報テーブル２１０を検索し、該当課金情報を端末１０３へ送信する。サーバリソース情報管理部２０７は、端末１０３から課金年月、ホスト名及び課金対象種別情報を受信し、受信した課金年月、ホスト名及び課金対象種別情報に基づいてサーバリソース情報テーブル２１１を検索し、該当サーバリソースの情報を端末１０３へ送信する。課金情報管理部２０６及びサーバリソース情報管理部２０７は、あらかじめ記憶部２０２に格納されていても良いし、コンピュータが利用可能な可搬性を有する記憶媒体に格納しておき、図示していないデータ読取部を介して必要に応じて読み出されても良いし、あるいは、コンピュータが利用可能な通信媒体と接続された他の装置から必要に応じてダウンロードされて記憶部２０２に格納されるものであっても良い。
【００１７】
図４は、サーバ接続情報マスタ２０８のデータ構成例を示す図である。サーバ接続情報マスタ２０８は、仮想マシン管理サーバ１０１がネットワーク１０２を介してサーバ１０４にログインし接続するためのサーバ接続情報を格納するテーブルである。図４に示すように、サーバ接続情報マスタ２０８は、サーバ１０４を一意に識別し特定するためのホスト名４０１と、ユーザのアカウント情報であるユーザＩＤ４０２及びパスワード４０３と、サーバ１０４上で動作するＯＳ種別４０４の情報をそれぞれ対応付けて記憶している。
【００１８】
図５は、コマンド管理マスタ２０９のデータ構成例を示す図である。コマンド管理マスタ２０９は、仮想マシン管理サーバ１０１がサーバ１０４へアクセスして課金対象であるサーバリソースの情報（ＤＩＳＫの割当容量、ＣＰＵの割当数、メモリの割当容量など）を取得するための指示情報（コマンド情報）を格納するテーブルである。コマンド管理マスタ２０９の情報は、システムの初期導入時に設定される。図５に示すように、コマンド管理マスタ２０９は、ＯＳ種別５０１と、ＤＩＳＫ、ＣＰＵ、メモリなど課金対象であるサーバリソースの種別を表す課金対象種別５０２と、ＯＳ種別５０１に応じたコマンド５０３の情報をそれぞれ対応付けて記憶する。
【００１９】
図６は、課金情報テーブル２１０のデータ構成例を示す図である。課金情報テーブル２１０は、サーバ１０４における課金の情報を格納するテーブルである。図６に示すように、課金情報テーブル２１０は、サーバ１０４のホスト名６０１と、課金年月６０２と、課金年月６０１における課金対象の合計課金額を表す課金合計６０３と、ＤＩＳＫ、ＣＰＵ、メモリなど課金対象であるサーバリソースの種別を表す課金対象種別６０４と、課金対象の課金単価を表す単価６０５と、課金対象の数量を表す数量６０６の情報をそれぞれ対応付けて記憶する。
【００２０】
図７は、サーバリソース情報テーブル２１１のデータ構成例を示す図である。サーバリソース情報テーブル２１１は、課金対象であるサーバリソースの情報を格納するテーブルである。サーバリソース情報テーブル２１１の情報は、サーバリソース情報管理部２０７により定期的に更新される。図７に示すように、サーバリソース情報テーブル２１１は、サーバ１０４を一意に識別し特定するためのホスト名７０１と、課金年月７０２と、ＤＩＳＫ、ＣＰＵ、メモリなど課金対象であるサーバリソースの種別を表す課金対象種別７０３と、ＤＩＳＫの割当容量、ＣＰＵの割当数、メモリの割当容量など課金対象であるサーバリソースの情報を表すリソース情報７０４をそれぞれ対応付けて記憶する。
【００２１】
図３は、端末１０３のハードウェア構成例を示す図である。端末１０３は、一般的なコンピュータにより実現でき、ハードディスクドライブなどの不揮発性記憶装置で構成される記憶部３０２と、ＲＡＭなど揮発性記憶装置で構成されるメモリ３０３と、記憶部３０２に記憶されているコンピュータプログラム３０６をメモリ３０３に読み出すなどして実行し端末１０３自体の統括制御を行うとともに各種判定、演算及び制御処理を行うＣＰＵ等で構成される演算処理部３０１と、各種情報を表示するディスプレイ等の表示部３０４と、ネットワーク１０２と接続し他コンピュータとの通信処理を行う通信制御部３０５と、マウスやポインティングデバイス等の入力部３０７を備える。各部は、ＢＵＳ(バス)等の通信路により接続されている。
【００２２】
記憶部３０２には、コンピュータプログラム３０６として実現する課金情報管理部３０７とサーバリソース情報管理部３０８が格納されている。課金情報管理部３０７は、ユーザにより入力部３０７を用いて入力された課金情報及びサーバ接続情報の登録要求を仮想マシン管理サーバ１０１へ送信する。また、課金情報管理部３０７は、課金情報や課金対象であるサーバリソースの情報（課金詳細情報）を仮想マシン管理サーバ１０１へ要求し、仮想マシン管理サーバ１０１からその結果を受信し、表示部３０４に表示する。課金情報管理部３０７及びサーバリソース情報管理部３０８は、あらかじめ記憶部３０２に格納されていても良いし、コンピュータが利用可能な可搬性を有する記憶媒体に格納しておき、図示していないデータ読取部を介して必要に応じて読み出されても良いし、あるいは、コンピュータが利用可能な通信媒体と接続された他の装置から必要に応じてダウンロードされて記憶部３０２に格納されるものであっても良い。
【００２３】
図８は、仮想マシン管理サーバ１０１が、端末１０３からの要求に応じて課金情報及びサーバ接続情報を登録する処理を示すフロー図である。先ず端末１０３の表示部３０４に図１１に示すような課金情報・サーバ接続情報登録画面１１００が表示される。図１１に示すように、課金情報・サーバ接続情報登録画面１１００は、課金情報の入力部（ホスト名１１０１、課金年月１１０２、課金合計１１０３、課金対象種別１１０４、単価１１０５、数量１１０６）と、サーバ接続情報の入力部（ホスト名１１０１、ＯＳ種別１１０７、ユーザＩＤ１１０８、パスワード１１０９）と、送信ボタン１１１０から構成される。なお、ホスト名１１０１は、課金情報であるとともにサーバ接続情報でもある。この課金情報・サーバ接続情報登録画面１１００において、ユーザが入力部３０７を用いて課金情報及びサーバ接続情報１１０１〜１１０９を入力し送信ボタン１１１０を押下する操作を行うと、端末１０３の課金情報管理部３０７は、入力された課金情報及びサーバ接続情報１１０１〜１１０９を取得し、取得した課金情報及びサーバ接続情報１１０１〜１１０９の登録要求を仮想マシン管理サーバ１０１へ送信する（ステップＳ８０１）。
【００２４】
仮想マシン管理サーバ１０１の課金情報管理部２０６は、端末１０３から課金情報及びサーバ接続情報１１０１〜１１０９を受信する（ステップＳ８０２）。次に課金情報管理部２０６は、受信した課金情報１１０１〜１１０６をそれぞれ対応付けて課金情報テーブル２１０に格納する（ステップＳ８０３）。次に、課金情報管理部２０６は、受信したサーバ接続情報１１０１、１１０７〜１１０９をそれぞれ対応付けてサーバ接続情報マスタ２０８に格納する（ステップＳ８０４）。
【００２５】
図９は、定期的に、仮想マシン管理サーバ１０１がサーバ１０４へアクセスしてコマンドを実行し、課金対象であるサーバリソースの情報を取得し記憶する処理を示すフロー図である。仮想マシン管理サーバ１０１のサーバリソース情報管理部２０７は、定期的にステップＳ９０１〜ステップＳ９０５の処理を行う。具体的には、先ずサーバリソース情報管理部２０７は、課金情報テーブル２１０（図６）からホスト名６０１、課金年月６０２及び課金対象種別６０４を示す情報を取得する（ステップＳ９０１）。次にサーバリソース情報管理部２０７は、取得したホスト名６０１に基づいてサーバ接続情報マスタ２０８（図４）を検索し、該当サーバ接続情報（ユーザＩＤ４０２、パスワード４０３及びＯＳ種別４０４）を取得する（ステップＳ９０２）。次にサーバリソース情報管理部２０７は、ステップＳ９０１で取得した課金対象種別６０４とステップＳ９０２で取得したＯＳ種別４０４の情報に基づいてコマンド管理マスタ２０９（図５）を検索し、該当コマンド５０３を取得する（ステップＳ９０３）。そしてサーバリソース情報管理部２０７は、取得したコマンド５０３にステップ９０１で取得したホスト名６０１とステップＳ９０２で取得したユーザＩＤ４０２、パスワード４０３を引数として設定し、このコマンド５０３を実行する（ステップＳ９０４）。サーバリソース情報管理部２０７は、コマンド実行先サーバ１０４から、課金対象であるサーバリソースの情報を取得し、取得したサーバリソースの情報をステップＳ９０１で取得したホスト名６０１、課金年月６０２、課金対象種別６０４を示す情報と対応付けてサーバリソース情報テーブル２１１（図７）に格納する（ステップＳ９０５）。なお、コマンド実行により、コマンド実行先サーバ１０４は、このサーバ１０４で動作しているＯＳによりサーバリソースの情報を認識し、仮想マシン管理サーバ１０１はこのＯＳ認識結果をサーバリソースの情報として取得する。
【００２６】
図１０は、仮想マシン管理サーバ１０１が、端末１０３からの要求に応じて課金情報とサーバリソースの情報を含む課金情報詳細画面を端末１０３へ応答する処理を示すフロー図である。先ず端末１０３の表示部３０４に図１２に示すような課金情報検索画面１２００が表示される。図１２に示すように、課金情報検索画面１２００は、ユーザが検索したい課金年月の入力部１２０１と、送信ボタン１２０２から構成される。この課金情報検索画面１２００において、ユーザが入力部３０７を用いて対象の課金年月１２０１を入力し送信ボタン１２０２を押下する操作を行うと、端末１０３のサーバリソース情報管理部３０８は、入力された課金年月１２０１を示す情報を取得し、取得した課金年月１２０１を示す情報を含む課金情報検索要求を仮想マシン管理サーバ１０１へ送信する（ステップＳ１００１）。
【００２７】
仮想マシン管理サーバ１０１のサーバリソース情報管理部２０７は、端末１０３から課金情報検索要求を受信し（ステップＳ１００２）、受信した課金情報検索要求に含まれる課金年月１２０１の情報に基づいて課金情報テーブル２１０（図６）を検索し、指定された課金年月１２０１の全サーバ１０４における課金情報（ホスト名６０１、課金年月６０２、課金合計６０３、課金対象種別６０４、単価６０５、数量６０６）を取得し、取得した課金情報を含む課金情報検索結果画面１３００を生成し、この画面１３００を端末１０３へ送信する（ステップＳ１００３）。
【００２８】
サーバリソース情報管理部３０８は、仮想マシン管理サーバ１０１から課金情報検索結果画面１３００を受信し（ステップＳ１００４）、表示部３０４に表示する（ステップＳ１００５）。図１３に課金情報検索結果画面１３００の例を示す。図１３に示すように、課金情報検索結果画面１３００は、ユーザにより指定された課金年月１３０１の情報と、指定された課金年月１３０１の全サーバにおける課金情報（１３０２〜１３０６）と、決定ボタン１３０７から構成される。課金対象種別１３０４は、カーソルにより選択でき、選択した課金対象種別１３０４は異なる色で表示するなど強調表示される。ここで、課金情報検索結果画面１３００において、ユーザが入力部３０７を用いて詳細表示したい課金対象種別１３０４を選択し、決定ボタン１３０７を押下する操作を行うと、端末１０３のサーバリソース情報管理部３０８は、選択された課金対象種別１３０４を示す情報と、この課金対象種別１３０４の情報と対応付いた課金年月１３０１、ホスト名１３０２、課金合計１３０３、単価１３０５、数量１３０６を示す情報を含む課金対象の課金詳細情報の要求を仮想マシン管理サーバ１０１へ送信する（ステップＳ１００６）。
【００２９】
仮想マシン管理サーバ１０１のサーバリソース情報管理部２０７は、端末１０３から課金対象の課金詳細情報の要求を受信し（ステップＳ１００７）、この要求に含まれるホスト名１３０２、課金年月１３０１、課金対象種別１３０４の情報に基づいてサーバリソース情報テーブル２１１（図７）を検索し、該当サーバリソース情報７０４を取得し、取得したサーバリソース情報７０４と、ステップＳ１００７で受信した課金情報１３０１〜１３０６を含む課金情報詳細画面１４００を生成し、この画面１４００を端末１０３へ送信する（ステップＳ１００８）。
【００３０】
端末１０３のサーバリソース情報管理部３０８は、仮想マシン管理サーバ１０１から課金情報詳細画面を受信し（ステップＳ１００９）、表示部３０４に表示する（ステップＳ１０１０）。図１４に課金情報詳細画面１４００の例を示す。図１４に示すように、課金情報詳細画面１４００は、ユーザにより指定された課金対象の課金情報１４０１〜１４０６と、ユーザが選択したサーバリソース（課金対象）の情報１４０７から構成される。ユーザは、サーバリソースの情報１４０７を確認することにより、その内容が申請通りに正しく設定されているかどうかを確認できる。
【００３１】
以上、本発明の実施形態について具体的に説明したが、本発明はこれに限定されるものではなく、その要旨を逸脱しない範囲で種々変更可能である。例えば、上記実施例では、課金対象の課金単価を決める基準となる単位量の情報として、ＤＩＳＫの割当容量、ＣＰＵの割当数、メモリの割当容量を例示したが、ＣＰＵのコア数、仮想マシンのグレードなど、課金対象の課金単価を決める基準となる単位量を示す情報であれば良い。また、上記実施例では、ユーザアカウント情報としてユーザＩＤ、パスワードを例示したが、サーバ１０４へ接続するための情報であれば、ユーザＩＤ、パスワード以外の情報であっても良い。また、上記実施例では、サーバ１０４を特定するための情報としてホスト名を例示したが、サーバ１０４を一意に識別し特定できる情報であれば、ホスト名以外の情報であっても良い。また、上記仮想マシン管理サーバ１０１及び端末１０３にて保持するコンピュータプログラム２０５、３０６を、例えば集積回路（ＬＳＩ）で設計すること等によりハードウェアにより実現しても良い。
【００３２】
こうした実施例によれば、事前にユーザが課金情報とサーバ接続情報をそれぞれ課金情報テーブル２１０とサーバ接続情報マスタ２０８に登録しておくため、仮想マシン管理サーバ１０１によりその課金情報とサーバ接続情報から該当コマンドを実行して該当サーバ１０４における課金対象であるサーバリソースの情報（設定内容）を取得できる。これにより、システム管理者等のユーザは、１台ずつサーバ１０４にログインし、コマンドを実行する必要がない。また、ユーザはコマンドを覚えておく必要はなく、システム管理者以外のユーザでも課金対象の設定内容を確認できる。ユーザにおいては、課金対象の設定内容確認の際に、その都度どのコマンドを実行すべきかを確認する手間とアカウント情報（ユーザＩＤ、パスワード）を入力する手間が省ける。よって、課金対象であるコンピュータリソースの設定内容の確認を容易にかつ短時間で行うことができ、ひいては課金額の妥当性の検証を短時間で行うことができる。さらに、アカウント情報を画面上に表示しないため、セキュリティも維持できる。
【符号の説明】
【００３３】
１０１・・・仮想マシン管理サーバ、１０２・・・ネットワーク、１０３・・・端末、１０４・・・サーバ、１０５・・・仮想マシン。
【図１】
2016148966.tif 000003
【図２】
2016148966.tif 000004
【図３】
2016148966.tif 000005
【図４】
2016148966.tif 000006
【図５】
2016148966.tif 000007
【図６】
2016148966.tif 000008
【図７】
2016148966.tif 000009
【図８】
2016148966.tif 000010
【図９】
2016148966.tif 000011
【図１０】
2016148966.tif 000012
【図１１】
2016148966.tif 000013
【図１２】
2016148966.tif 000014
【図１３】
2016148966.tif 000015
【図１４】
2016148966.tif 000016